【事件の表示】
　特願２０１４−５３５９４６「ダウンリンク送信のサイマルキャストおよびデサイマルキャストを円滑にするための、ワイヤレス通信の分散アンテナシステムおよび方法」拒絶査定不服審判事件〔平成２５年　４月１８日国際公開、ＷＯ２０１３／０５６１１１、平成２６年１２月　４日国内公表、特表２０１４−５３２３７６、請求項の数（２４）〕について、次のとおり審決する。
【結　論】
　原査定を取り消す。
　本願の発明は、特許すべきものとする。
【理　由】
第１　手続の経緯
　本願は、２０１２年（平成２４年）１０月１２日（パリ条約による優先権主張外国庁受理　２０１１年１０月１４日　アメリカ合衆国、２０１１年１２月１６日　アメリカ合衆国、２０１２年５月１日　アメリカ合衆国）を国際出願日とする出願であって、その手続の経緯は以下のとおりである。
　平成２６年　６月１６日　　　翻訳文、手続補正書、上申書の提出
　平成２７年　２月２６日付け　拒絶理由の通知
　平成２７年　６月　２日　　　意見書、手続補正書の提出
　平成２７年１０月２３日付け　拒絶査定
　　　　　　　　　　　　　　（謄本送達日平成２７年１０月２７日）
　平成２８年　２月２９日　　　審判請求書の提出
　平成２８年　９月　１日付け　当審における拒絶理由の通知
　平成２８年　９月１６日　　　意見書、手続補正書の提出
第２　本願の請求項１、１１、１９及び２３
　平成２８年９月１６日付けの手続補正で補正された特許請求の範囲の請求項１、１１、１９及び２３の記載は以下のとおりである（下線は、平成２８年９月１６日付け手続補正書で審判請求人により付されたものである。）。
　なお、補正前の請求項２０及び２５は、平成２８年９月１６日付けの手続補正により、補正後の請求項１９及び２３となった。
「【請求項１】
　各アンテナポートが、それぞれの遠隔アンテナユニットに通信可能に結合されるように適合された複数のアンテナポートと、
　各基地局セクタコントローラが、前記複数のアンテナポートのうちの少なくとも１つのアンテナポートに通信可能に結合された受信インターフェースと、送信インターフェースとを備える、複数の基地局セクタコントローラと、
　前記複数のアンテナポートの各々と結合され、かつ前記複数の基地局セクタコントローラの各々の前記送信インターフェースと結合された基地局サイマルキャストコントローラモジュールとを備え、前記基地局サイマルキャストコントローラモジュールが、
　前記アンテナポートに通信可能に結合された複数の遠隔アンテナユニットを介してダウンリンク送信を送信することであって、少なくとも２つの遠隔アンテナユニットが、サイマルキャストグループとしてダウンリンク送信をサイマルキャストするために利用される、送信することと、
　１つまたは複数のネットワークトラフィックパラメータを取得することと、
　前記１つまたは複数のネットワークトラフィックパラメータに応じて、ダウンリンク送信をサイマルキャストするための少なくとも１つの異なる遠隔アンテナユニットを含むように、前記サイマルキャストグループを修正することと
　を行うように適合された、基地局。」、
「【請求項１１】
　基地局上で動作可能な方法であって、
　それぞれの送信信号を、複数の基地局セクタコントローラの各々から基地局サイマルキャストコントローラモジュールに伝えることと、
　前記送信信号を、前記基地局サイマルキャストコントローラモジュールから、それぞれの遠隔アンテナユニットに通信可能に結合された複数のアンテナポートに与えることであって、少なくとも２つの遠隔アンテナユニットが、サイマルキャストグループとしてダウンリンク送信をサイマルキャストするために利用される、与えることと、
　２つ以上の遠隔アンテナユニットからのアップリンク送信を、前記アップリンク送信を前記基地局サイマルキャストコントローラモジュールに通すことなく、それぞれのアンテナポートを介して、それぞれの基地局セクタコントローラにおいて受信することであって、前記アップリンク送信が、デサイマルキャストされ、特定のセクタ識別（ＩＤ）の１つまたは複数のアップリンクダイバーシティブランチに関連付けられる、受信することと
　
１つまたは複数のネットワークトラフィックパラメータを取得することと、
　前記１つまたは複数のネットワークトラフィックパラメータに応じて、ダウンリンク送信をサイマルキャストするための少なくとも１つの異なる遠隔アンテナユニットを含むように、前記サイマルキャストグループを修正することと、
　を備え、
　
前記基地局サイマルキャストコントローラモジュールは、前記ネットワークトラフィックパラメータを取得することと、前記サイマルキャストグループを修正することとを行うように適合される、
「【請求項１９】
　それぞれの送信信号を、複数の基地局セクタコントローラの各々から基地局サイマルキャストコントローラモジュールに伝えるための手段と、
　前記送信信号を、前記基地局サイマルキャストコントローラモジュールから、それぞれの遠隔アンテナユニットに通信可能に結合された複数のアンテナポートに与えるための手段であって、少なくとも２つの遠隔アンテナユニットが、サイマルキャストグループとしてダウンリンク送信をサイマルキャストするために利用される、手段と、
　ダウンリンク送信をサイマルキャストするために利用される２つ以上の遠隔アンテナユニットからのアップリンク送信を、前記アップリンク送信を前記基地局サイマルキャストコントローラモジュールに通すことなく、それぞれのアンテナポートを介して、それぞれの基地局セクタコントローラにおいて受信するための手段であって、前記アップリンク送信が、デサイマルキャストされ、特定のセクタ識別（ＩＤ）の１つまたは複数のアップリンクダイバーシティブランチに関連付けられる、手段と
　
１つまたは複数のネットワークトラフィックパラメータを取得する手段と、
　前記１つまたは複数のネットワークトラフィックパラメータに応じて、ダウンリンク送信をサイマルキャストするための少なくとも１つの異なる遠隔アンテナユニットを含むように、前記サイマルキャストグループを修正する手段と
　を備え
、
　前記基地局サイマルキャストコントローラモジュールは、前記ネットワークトラフィックパラメータを取得する手段と、前記サイマルキャストグループを修正する手段とを含む、
基地局装置。」、
「【請求項２３】
　基地局上で動作可能な命令を備える機械可読媒体であって、前記命令が、プロセッサによって実行されると、前記プロセッサに、
　それぞれの送信信号を、複数の基地局セクタコントローラの各々から基地局サイマルキャストコントローラモジュールに伝えることと、
　前記送信信号を、前記基地局サイマルキャストコントローラモジュールから、それぞれの遠隔アンテナユニットに通信可能に結合された複数のアンテナポートに与えることであって、少なくとも２つの遠隔アンテナユニットが、サイマルキャストグループとしてダウンリンク送信をサイマルキャストするために利用される、与えることと、
　２つ以上の遠隔アンテナユニットからのアップリンク送信を、前記アップリンク送信を前記基地局サイマルキャストコントローラモジュールに通すことなく、それぞれのアンテナポートを介して、それぞれの基地局セクタコントローラにおいて受信することであって、前記アップリンク送信が、デサイマルキャストされ、特定のセクタ識別（ＩＤ）の１つまたは複数のアップリンクダイバーシティブランチに関連付けられる、受信することと
、
　
前記基地局サイマルキャストコントローラモジュールを制御して１つまたは複数のネットワークトラフィックパラメータを取得することと、
　前記基地局サイマルキャストコントローラモジュールを制御して前記１つまたは複数のネットワークトラフィックパラメータに応じて、ダウンリンク送信をサイマルキャストするための少なくとも１つの異なる遠隔アンテナユニットを含むように、前記サイマルキャストグループを修正することと
　を行わせる
、
第３　当審における拒絶理由及び原査定の理由の概要
１　当審における拒絶理由の概要
　当審における拒絶理由の概要は、本件出願は、特許請求の範囲の請求項１１、１４、１６、２０及び２５記載が不明瞭であるから、特許法第３６条第６項第２号に規定する要件を満たしていないというものである。
  
２　原査定の理由の概要
　原査定の理由となった平成２７年２月２６日付けの拒絶理由の概要は以下のとおりである。
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項：１−２７
・引用文献等：１，２
・備考
　引用文献１（特に段落[0011]-[0012]，[0043]-[0051]，Fig.6参照）には、サイマルキャストを実施する機能を備えた基地局装置であって、当該基地局装置が、複数のＲＴＵ１１０（本願の「遠隔アンテナユニット」に相当）と、各ＲＴＵ１１０に結合されたホストユニット２３０（本願の「アンテナポート」に相当）と、ホストユニット２３０の各々と結合されたマトリックススイッチ（本願の「基地局サイマルキャストコントローラ」に相当）とを備えること、当該マトリックススイッチが、複数のＲＴＵを介してダウンリンク信号をサイマルキャストすること、サイマルキャストグループをトラフィックメトリック（本願の「ネットワークトラフィックパラメータ」に相当）に応じて設定することが記載されている。
　ここで、引用文献１に記載の発明は、アンテナポートに対して送信インタフェースと受信インタフェースとで接続された基地局セクタコントローラが明記されていない点で、本願発明とは一応相違するものの、引用文献２（特に段落［００３２］−［００３６］参照）には、Ｅ／Ｏ１０７及びＯ／Ｅ１０８（本願の「アンテナポート」に相当）に対して合波器１０５及び分波器１１５（本願の「基地局セクタコントローラ」に相当）が、それぞれ送信インタフェースと受信インタフェースとで接続された構成を備える基地局装置が記載されており、引用文献１に記載の発明においても、アンテナポートに対して送信インタフェースと受信インタフェースとで接続された基地局セクタコントローラを設けることに困難性は認められない。
　また、同じく引用文献２には、上り方向の信号に対して合成サイトダイバーシチ、すなわち、デサイマルキャストを行うことも記載されており、引用文献１に記載の発明においても、引用文献２に記載の発明のように、デサイマルキャストを行う構成とすることは当業者が容易になしえたことである。
　〈引用文献等一覧〉
　１．米国特許出願公開第２０１０／０１２８６７６号明細書
　２．特開２００９−２０６７３５号公報　」
第４　当審の判断
１　当審における拒絶理由について
　平成２８年９月１６日付け手続補正により、補正後の請求項１１、１４、１６、１９及び２３（補正前の請求項１１、１４、１６、２０及び２５に対応）は明確になり、当審における拒絶理由は解消した。
　本願の請求項１−２４に係る発明は、平成２８年９月１６日付けの手続補正で補正された特許請求の範囲の請求項１−２４に記載された事項により特定されるものと認められるところ、本願の請求項１、１１、１９及び２３に係る発明（以下、請求項１に係る発明を「本願発明１」という。）は上記第２に記載したとおりである。
２　原査定の理由について
（１）引用例の記載事項
ア　原査定の拒絶の理由で引用された米国特許出願公開第２０１０／０１２８６７６号明細書（以下「引用例１」という。）には、図面とともに、以下の事項が記載されている（なお、下線は当審において付したものである。）。
（ア）「[0012]　RTUs can be configured to distribute the carrier channels many different ways. In some embodiments, 
RTUs can be configured into a simulcast configuration where a host unit distributes the same carrier channels to multiple RTUs.
（当審訳：「[0012]ＲＴＵは、キャリアチャネルを多くの異なる方法で分配するように設定されることができる。いくつかの実施態様において、
ＲＴＵは、ホストユニットが同じキャリアチャネルを複数のＲＴＵに分配する場合にサイマルキャスト構成に設定され得る
（イ）「[0030]　In FIG.1, carrier channel distribution system 100 is deployed in an environment where cellular regions 120 require wireless coverage. 
A base transceiver station (BTS) 140 communicatively couples to one or more remote cell regions 120 via one or more host units 130 using physical communication links 115
Host units 130 relay digitized signals between BTS 140 and remote transceiver units (RTUs) 110 within the remote cell regions 120 using the physical links 115, preferably fiber optic links
（当審訳：「[0030]　図１において、キャリアチャネル分配システム１００は、セルラー領域１２０がワイヤレス受信可能範囲を必要とする環境に配備される。
基地送受信局（ＢＴＳ）１４０は、物理的な通信リンク１１５を用いて１以上のホストユニット１３０を経由して１以上の遠隔セル領域１２０に通信可能に結合する。
ホストユニット１３０は、物理リンク１１５、好ましくは、光ファイバーリンクを用いて、ＢＴＳ１４０と遠隔セル領域１２０内の遠隔送受信ユニット（ＲＴＵ）１１０との間でデジタル化された信号をリレーする
（ウ）「[0034]　In FIG.2, BTS 240 is presented in more detail as a schematic of an exemplary embodiment of one aspect of the inventive subject matter. 
BTS 240 can include multi-band transceiver 260, which is configured to receive a plurality of frequency bands
（当審訳：「図２において、発明の一態様の実施例の図として、ＢＴＳ２４０の詳細が示されている。
ＢＴＳ２４０は、複数の周波数帯を受信するように設定されたマルチバンド送受信器２６０を含むことができる
（エ）「[0035]　
Multi-band transceiver 260 is preferably configured to receiver or to transmit wireless signals within a plurality of frequency bands as represented by bands 263A, 263B, through 263N, collectively referred to as bands 263
（当審訳：「
マルチバンド送受信器２６０は、好ましくは、バンド２６３Ａ、２６３Ｂ・・・２６３Ｎによって表され、バンド２６３として集合的に参照される複数の周波数帯の中のワイヤレス信号を受信又は送信するように設定される
（オ）「[0038]　
Received channels 1 - 12 from bands  263  are forwarded to matrix switch 250. Matrix switch 250 can operate as a combiner/splitter, preferably an analog combiner/splitter, where bands 263 can have their individual channels 1 - 12 split into individual channels or groups of channels (e.g., 1 - 4, 5 - 6, 7 - 9, etc.)
matrix switch 250 routes analog channels 270 to an appropriate host unit 230 according to a policy 255 for distribution to remote regions or RTUs. 
（当審訳：「[0038]　
バンド２６３からの受信チャネル１−１２は、マトリックススイッチ２５０に送られる。マトリックススイッチ２５０は、結合器／分配器、好ましくは、アナログ結合器／分配器、として動作することができ、バンド２６３は、その個々のチャネル１−１２を個々のチャネル又はチャネルのグループ（例えば、１−４、５−６、７−９等）に分配することができる
マトリックススイッチ２５０は、遠隔領域又はＲＴＵに分配するためのポリシー２５５にしたがって、アナログチャネル２７０を適切なホストユニット２３０にルートする。
（カ）[0039]　As an example, switch 250 could route channel 1 from band 263 A to a first host unit 230 while routing channel 2 from band 263 A to a second host unit where both channel 1 and 2 originate from the same band. It is contemplated that different carrier channels 270 from different bands 263 can also be treated separately and routed as desired. 
Such an approach provides for allocating carrier channels 270 to various remote regions to ensure proper coverage given various conditions. Contemplated conditions that could affect coverage include usage, load, weather, events, or other circumstances that could affect how channels are used
[0040]　
Routing policy 255 can comprises one or more rules that govern behavior of switch 250 with respect to how analog channels 270 should be routed to host units 230 for further distribution to RTUs.
[0041]　The rules of policy 255 can operate as functions of one or more metrics available to switch 250. 
Metrics can be considered to be measures of circumstances associated with matrix switch 250 or its environment, local or global. The rules of policy 255 can include one or more criterion representing a trigger for an action that should be taken when the metrics satisfy the criteria of the rules.
（当審訳：「[0039]　例として、スイッチ２５０は、バンド２６３Ａからのチャネル１を第１のホストユニットにルートすると同時に、バンド２６３Ａからのチャネル２を第２のホストユニットにルートすることができる。ここで、チャネル１及び２は、同じバンドに由来する。異なるバンド２６３からの異なるキャリアチャネルは、別個に扱われ、所望のとおり分配されることもできる。
そのようなアプローチにより、キャリアチャネルを様々な遠隔領域に割り当て、様々な状況で適切なカバレッジを確保する。カバレッジに影響すると予期される状態には、使用量、負荷、天候、イベント、又は、チャネルの使われ方に影響するその他の状況を含む
[0040]　
ルーティングポリシー２５５は、アナログチャネル２７０をさらにＲＴＵに分配するためにどのようにホストユニット２３０に送られるべきかに関し、スイッチ２５０の振る舞いに影響を与える１以上のルールからなる
[0041]　ポリシー２５５のルールは、スイッチ２５０で使用可能な１以上のメトリクスの関数として実行することができる。
メトリクスは、マトリックススイッチ２５０又はそのローカル又はグローバルな環境に関連付けられた状態の尺度であると考えられる。ポリシー２５５のルールは、メトリクスがルールの基準を満たすときに、取られるべき行動のトリガーを表す１以上の基準を含む
（キ）「[0043]　As an example, 
consider a policy 255 that has rules governing the use of bandwidth allocated to different remote regions. A first region might have a significant number of commercial businesses that require additional bandwidth during business hours. The first region could be allocated a large number of channels during the business hours while a residential region might have a smaller number of channels during the same time frame. In such an embodiment, channels 270 can be routed, distributed, or allocated based on time-based metrics using simple rules
（当審訳：「一例として、
異なる遠隔領域に分配された帯域幅の使用を管理するルールを持つポリシー２５５を考える。第１の領域は、ビジネスアワーの間、追加の帯域幅を要する多くの営利事業を有する。当該第１の領域は、ビジネスアワーの間、多くのチャネルを分配されることができ、同時に、居住領域は、同時間帯の間、少ない数のチャネルを有する。このような実施例において、チャネル２７０は、簡単なルールを用いた時間ベースのメトリクスに基づいて、転送され、分配され、割り当てられる
（ク）「[0046]　Yet another example includes 
a policy 255 that distributes or allocates channels to remote regions based on events
 if a weather disaster occurs, switch 250 can be instructed to allocate more channels to a victim region to increase the bandwidth available to victims or aid workers
（当審訳：「他の例では、
イベントに基づいてチャネルを遠隔領域に分配又は割り当てるポリシー２５５を含む
気象災害が発生した場合、スイッチ２５０は、被害者や救援従事者が利用可能な帯域幅を増加させるよう被災地に更なるチャネルを割り当てることを指示され得る。
（ケ）「[0051]　In FIG.4, RTUs 410 are arranged into different carrier channel distribution configurations.
 BTS 440 comprises two of host unit 430,
Simulcast configuration 493 represents a configuration where a single host unit 430 couples to more than one RTU 410 in a one-to-many configuration. A single host unit 430 can duplicate serialized carrier channels as necessary and send the serialized data over more than one fiber optic link to multiple RTUs 410.
（当審訳：「図４において、ＲＴＵ４１０は、異なるキャリアチャネル分配構成にアレンジされる。
ＢＴＳ４４０は、２つのホストユニット４３０を含み、
サイマルキャスト構成４９３は、１対多構成において単一のホストユニット４３０を１より多いＲＴＵ４１０に結合する構成をとる。単一のホストユニット４３０は、必要に応じてシリアルキャリアチャネルを複製して、シリアルデータを１以上の光ファイバリンクで複数のＲＴＵ４１０に送ることができる
　ここで、図１及び図２は、以下のとおりである。
図１
図２
　したがって、引用例１には次の発明（以下、「引用発明１」という。）が記載されている。
「　物理的な通信リンク１１５を用いて１以上のホストユニット１３０を経由して１以上の遠隔セル領域１２０に通信可能に結合される基地送受信局（ＢＴＳ）１４０であって、
　２つのホストユニット４３０を含み、ホストユニット１３０は、物理リンク１１５、好ましくは、光ファイバーリンクを用いて、ＢＴＳ１４０と遠隔セル領域１２０内の遠隔送受信ユニット（ＲＴＵ）１１０との間でデジタル化された信号をリレーし、
　ホストユニットが同じキャリアチャネルを複数のＲＴＵに分配する場合に、サイマルキャスト構成を設定するものであって、サイマルキャスト構成４９３は、１対多構成において単一のホストユニット４３０を１より多いＲＴＵ４１０に結合し、単一のホストユニット４３０は、必要に応じてシリアルキャリアチャネルを複製して、シリアルデータを１以上の光ファイバリンクで複数のＲＴＵ４１０に送ることができ、
　複数の周波数帯を受信するように設定されたマルチバンド送受信器２６０を含み、
  マルチバンド送受信器２６０は、好ましくは、バンド２６３Ａ、２６３Ｂ・・・２６３Ｎによって表され、バンド２６３として集合的に参照される複数の周波数帯の中のワイヤレス信号を受信又は送信するように設定され、
　バンド２６３からの受信チャネル１−１２は、マトリックススイッチ２５０に送られ、
　マトリックススイッチ２５０は、結合器／分配器、好ましくは、アナログ結合器／分配器、として動作することができ、バンド２６３は、その個々のチャネル１−１２を個々のチャネル又はチャネルのグループに分配することができ、
　マトリックススイッチ２５０は、遠隔領域又はＲＴＵに分配するためのポリシー２５５にしたがって、アナログチャネル２７０を適切なホストユニット２３０にルートし、キャリアチャネルを様々な遠隔領域に割り当て、様々な状況で適切なカバレッジを確保し、
　カバレッジに影響すると予期される状態には、使用量、負荷、天候、イベント、又は、チャネルの使われ方に影響するその他の状況を含み、
　ルーティングポリシー２５５は、アナログチャネル２７０をさらにＲＴＵに分配するためにどのようにホストユニット２３０に送られるべきかに関し、スイッチ２５０の振る舞いに影響を与える１以上のルールからなり、
　メトリクスは、マトリックススイッチ２５０又はそのローカル又はグローバルな環境に関連付けられた状態の尺度であり、
　ポリシー２５５のルールは、メトリクスがルールの基準を満たすときに、取られるべき行動のトリガーを表す１以上の基準を含み、
　異なる遠隔領域に分配された帯域幅の使用を管理するルールを持つポリシー２５５では、ビジネスアワーの間、多くの営利事業を有する第１の領域は、多くのチャネルを分配されることができ、同時に、居住領域は、同時間帯の間、少ない数のチャネルを有するように、チャネル２７０は、簡単なルールを用いた時間ベースのメトリクスに基づいて、転送され、分配され、割り当てられ、
　イベントに基づいてチャネルを遠隔領域に分配又は割り当てるポリシー２５５では、気象災害が発生した場合、スイッチ２５０は、被害者や救援従事者が利用可能な帯域幅を増加させるよう被災地に更なるチャネルを割り当てることを指示され得る、基地送受信局（ＢＴＳ）１４０」
イ　原査定の拒絶の理由で引用された特開２００９−２０６７３５号公報（以下「引用例２」という。）には、図面とともに、以下の事項が記載されている（なお、下線は当審において付したものである。）。
（ア）「【００３２】
　（本発明の無線通信システムの実施形態）
　図２は、本発明の無線通信システムの実施形態を示す。ここでは、集中基地局１００、遠隔基地局２００Ａおよび２００Ｂ、無線端末局３０において、サイトダイバーシチ処理を想定した構成に限定して示しており、図５に示すように集中基地局１００と無線端末局３１，３２がそれぞれ対応する遠隔基地局２００Ａ，２００Ｂを介して接続するための構成は省略されている。
　【００３３】
　図２において、
集中基地局１００と遠隔基地局２００Ａは光ファイバ１１、１２を介して接続され、集中基地局１００と遠隔基地局２００Ｂは光ファイバ１３、１４を介して接続される
集中基地局１００にはバックボーンネットワーク２０が接続される
　【００３４】
　
集中基地局１００を構成するデータバッファ部１０１、フレーム構築部１０２Ａ、制御部１０３、データ信号用の変調器１０４Ａ、合波器１０５Ａ、１０５Ｂ、制御信号用の変調器１０６Ａ、１０６Ｂ、Ｅ／Ｏ１０７Ａ、１０７Ｂ、Ｏ／Ｅ１０８Ａ、１０８Ｂ、復調器１０９Ａ、１０９Ｂは、図５に示す従来のものと同様の構成である
送信ダイバーシチを行うためにフレーム構築部１０２Ａおよび変調器１０４Ａのみ記載し、変調器１０４Ａから出力するデータ信号をそれぞれ遠隔基地局２００Ａ、２００Ｂに送信する構成とし
　【００３５】
　遠隔基地局２００Ａおよび２００Ｂを構成するＯ／Ｅ２０１、ＳＷ２０４、アンテナ２０５、復調器２０６、増幅器２０７、Ｅ／Ｏ２０８は、図５に示す従来のものと同様の構成である。
　【００３６】
　本実施形態では、以上の構成に加えて遠隔基地局間同期のために、
集中基地局１００に符号発生器１１１Ａ、１１１Ｂ、相関検波器１１２Ａ、１１２Ｂ、下り方向に挿入する遅延線１１３Ａ、１１３Ｂ、上り方向に挿入する遅延線１１４Ａ、１１４Ｂ、分波器１１５Ａ、１１５Ｂを備え、
集中基地局１００に復調器１０９Ａ、１０９Ｂの各出力を合成する合成器１１６を備える。なお、集中基地局１００において、復調器１０９Ａ、１０９Ｂでそれぞれ復調されたデータ信号がダイバーシチ合成の対象でなければその一方を破棄するか、双方のデータ信号を個別にデータバッファ分波器１０１に出力する
　ここで、図２は、以下のとおりである。
図２
 
　したがって、引用例２には、次の発明（以下、「引用発明２」という。）が記載されている。
「　遠隔基地局２００Ａと光ファイバ１１、１２を介して接続され、遠隔基地局２００Ｂと光ファイバ１３、１４を介して接続され、バックボーンネットワーク２０が接続され、
　データバッファ部１０１、フレーム構築部１０２Ａ、制御部１０３、データ信号用の変調器１０４Ａ、合波器１０５Ａ、１０５Ｂ、制御信号用の変調器１０６Ａ、１０６Ｂ、Ｅ／Ｏ１０７Ａ、１０７Ｂ、Ｏ／Ｅ１０８Ａ、１０８Ｂ、復調器１０９Ａ，１０９Ｂで構成され、
　送信ダイバーシチを行うためにフレーム構築部１０２Ａおよび変調器１０４Ａを備え、変調器１０４Ａから出力するデータ信号をそれぞれ遠隔基地局２００Ａ、２００Ｂに送信し、
　符号発生器１１１Ａ、１１１Ｂ、相関検波器１１２Ａ、１１２Ｂ、下り方向に挿入する遅延線１１３Ａ、１１３Ｂ、上り方向に挿入する遅延線１１４Ａ、１１４Ｂ、分波器１１５Ａ、１１５Ｂを備え、
　復調器１０９Ａ、１０９Ｂの各出力を合成する合成器１１６を備え、復調器１０９Ａ、１０９Ｂでそれぞれ復調されたデータ信号がダイバーシチ合成の対象でなければその一方を破棄するか、双方のデータ信号を個別にデータバッファ分波器１０１に出力する、集中基地局。」
（２）本願発明１と引用発明１との対比
ア　引用発明１の「２つのホストユニット」は、それぞれ物理リンク１１５を用いて遠隔セル領域内の複数の「ＲＴＵ」と通信可能に結合され、該「ＲＴＵ」にキャリアチャネルを分配しているから、引用発明１の「ＲＴＵ」は、本願発明にいう「遠隔アンテナユニット」に相当し、引用発明１の「ホストユニット」は、本願発明１にいう「各アンテナポートが、それぞれの遠隔アンテナユニットに通信可能に結合されるように適合された複数のアンテナポート」といえる。
イ　引用発明１のＢＴＳは、複数の周波数帯を受信するように設定されたマルチバンド送受信器２６０を含み、マルチバンド送受信器２６０は、バンド２６３中のワイヤレス信号を受信又は送信するように設定され、マトリックススイッチ２５０は、結合器／分配器として動作することができ、アナログチャネル２７０を適切なホストユニット２３０にルートしていることから、引用発明１も「受信インターフェース」及び「送信インターフェース」を備えることが認められる。
ウ　引用発明１の「マトリックススイッチ」は、遠隔領域又はＲＴＵに分配するためのポリシー２５５にしたがって、バンド２６３からのアナログチャネル２７０を適切なホストユニット２３０にルートし、ホストユニットが同じキャリアチャネルを複数のＲＴＵに分配することでサイマルキャスト構成を設定している。
  ここで、サイマルキャスト構成は、１対多構成において単一のホストユニット４３０を１より多いＲＴＵ４１０に結合したものであり、単一のホストユニット４３０は、シリアルキャリアチャネルを複製して複数のＲＴＵ４１０に送ることから、上記１対多構成でホストユニットに接続される複数のＲＴＵは、「サイマルキャストグループとしてダウンリンク送信をサイマルキャストするために利用される」ものといえる。
　そして、ポリシー２５５は、アナログチャネル２７０をさらにＲＴＵに分配するためにどのようにホストユニット２３０に送られるべきかに関し、スイッチ２５０の振る舞いに影響を与える１以上のルールからなり、
　メトリクスは、マトリックススイッチ２５０又はそのローカル又はグローバルな環境に関連付けられた状態の尺度であり、
　ポリシー２５５のルールは、メトリクスがルールの基準を満たすときに、取られるべき行動のトリガーを表す１以上の基準を含んでいることから、引用発明１においても、「１つまたは複数のネットワークトラフィックパラメータを取得」し、「前記１つまたは複数のネットワークトラフィックパラメータに応じて」ダウンリンク送信を制御しているといえる。
　そうすると、引用発明１の「マトリックススイッチ」は、本願発明１にいう「複数のアンテナポートの各々と結合され」、「送信インターフェースと結合された」「基地局サイマルキャストコントローラモジュール」に対応するものであって、「前記アンテナポートに通信可能に結合された複数の遠隔アンテナユニットを介してダウンリンク送信を送信することであって、少なくとも２つの遠隔アンテナユニットが、サイマルキャストグループとしてダウンリンク送信をサイマルキャストするために利用される、送信することと」、「１つまたは複数のネットワークトラフィックパラメータを取得することと」、「前記１つまたは複数のネットワークトラフィックパラメータに応じて」ダウンリンク送信を制御することと、を行うことが認められる。
　したがって、本願発明１と引用発明１の一致点・相違点は、次のとおりである。
 ［一致点］ 
「　各アンテナポートが、それぞれの遠隔アンテナユニットに通信可能に結合されるように適合された複数のアンテナポートと、
　受信インターフェースと、送信インターフェースと、
　前記複数のアンテナポートの各々と結合され、かつ送信インターフェースと結合された基地局サイマルキャストコントローラモジュールとを備え、前記基地局サイマルキャストコントローラモジュールが、
　前記アンテナポートに通信可能に結合された複数の遠隔アンテナユニットを介してダウンリンク送信を送信することであって、少なくとも２つの遠隔アンテナユニットが、サイマルキャストグループとしてダウンリンク送信をサイマルキャストするために利用される、送信することと、
　１つまたは複数のネットワークトラフィックパラメータを取得することと、
　前記１つまたは複数のネットワークトラフィックパラメータに応じて、ダウンリンク送信を制御することと
　を行うように適合された、基地局。」
［相違点１］ 
　本願発明１は、「各基地局セクタコントローラが、複数のアンテナポートのうちの少なくとも１つのアンテナポートに通信可能に結合された受信インターフェースと、送信インターフェースとを備える、複数の基地局セクタコントローラ」を備えるのに対し、引用発明１では、「複数の基地局セクタコントローラ」を有するかどうか定かでなく、「受信インターフェースと、送信インターフェースと」は、いずれも基地局サイマルキャストコントローラモジュールを介して「複数のアンテナポートのうちの少なくとも１つのアンテナポートに通信可能に結合」されている点。
［相違点２］ 
  「基地局サイマルキャストコントローラモジュール」がネットワークトラフィックパラメータに応じて行う制御が、本願発明１では、「ダウンリンク送信をサイマルキャストするための少なくとも１つの異なる遠隔アンテナユニットを含むように、前記サイマルキャストグループを修正する」ものであるのに対し、引用発明１では、遠隔アンテナユニットに分配するチャネルの量を制御するものである点。
（３）判断 
　相違点２について検討するに、引用発明１は、ネットワークトラフィックパラメータに応じて遠隔アンテナユニットに分配するチャネルを増減するものであり、複数の遠隔アンテナユニットをサイマルキャスト構成とすることも想定しているものの、引用例１及び２には、ダウンリンク送信をサイマルキャストするための少なくとも１つの異なる遠隔アンテナユニットを含むように、サイマルキャストグループそのものを修正することについては記載も示唆もなく、相違点２に係る構成が、当業者が容易に想到し得ることとはいえない。
　そして、本願発明１は、上記相違点２に係る構成を有することで、サイマルキャスト配信構成およびワイヤレス通信のための関連方法を動的に構成することができ、例えば、スポーツ大会、コンサート、または他の催し物が特定の会場で計画され、集団が概してグループになって一緒に移動し、その会場の中およびその周辺に集中する場合には、集団におけるこの移動を識別することができ、集中した集団向けのネットワーク性能を向上させるために会場周辺のエリアにとって利用可能なセクタの数を増やすために、どの遠隔アンテナユニットがサイマルキャストするかを変更することができるという効果を奏するものである。
　したがって、相違点１について検討するまでもなく、本願発明１は、当業者が引用発明１及び２に基いて容易に発明をすることができたとはいえない。
（４）請求項１１、１９及び２３に係る発明について
　請求項１１、１９及び２３に係る発明は、上記（２）の相違点２に係る構成と同様の構成を備えた発明であるから、請求項１に係る発明と同様の理由により、当業者が引用発明１及び２に基づいて容易に発明をすることができたとはいえない。
（５）請求項２−１０、請求項１２−１８、請求項２０−２２、請求項２４について
　上記（１）−（４）のとおりであるから、請求項１、１１、１９又は２３を引用する請求項２−１０、請求項１２−１８、請求項２０−２２、請求項２４に係る発明も、当業者が引用発明１及び２に基づいて容易に発明をすることができたとはいえない。
第５　むすび
　以上のとおり、本願の請求項１−２４に係る発明は、いずれも、当業者が引用発明１及び２に基づいて容易に発明をすることができたものではないから、原査定の理由によっては、本願を拒絶することはできない。
　また、他に本願を拒絶すべき理由を発見しない。
　よって、結論のとおり審決する。